(57)【要約】  本発明は、爆発ガス混合物が封入される少なくとも１つのエンクロージャ（４）を含み、前記エンクロージャが、下向き開口部を有しており、また、前記エンクロージャ（４）により画定される容積を、空気の密度より小さい密度を有する爆発ガス混合物で少なくとも部分的に充填するように構成されたガス供給手段（１５、１６）を備え、装置が、さらに、この混合物の点火手段（１４）を含む、雪崩開始装置に関し、エンクロージャ（４）が、ほぼ垂直軸を有する鐘型または円錐台形であることを特徴とする。【選択図】  図５
2011506898.tif 000002
【特許請求の範囲】
【請求項１】
雪崩開始装置（２）であって、前記雪崩開始装置は、爆発ガス混合物が封入される少なくとも１つのエンクロージャ（４）を含み、前記エンクロージャが、下向き開口部（６）を有しており、また、前記エンクロージャ（４）により画定される容積を、空気の密度より小さい密度を有する爆発ガス混合物で少なくとも部分的に充填するように構成されたガス供給手段（１５、１６）を備え、前記装置が、さらに、この混合物の点火手段（１４）を含み、
前記エンクロージャ（４）が、ほぼ垂直軸を有する鐘型または円錐台形であることを特徴とする雪崩開始装置。
【請求項２】
前記エンクロージャ（４）の容積が、０．５〜１０ｍ３であり、好適には約１ｍ３であることを特徴とする、請求項１に記載の装置。
【請求項３】
前記点火手段が、少なくとも１つの点火プラグ（１４）、好適には高電圧回路により供給される２個の点火プラグを含むことを特徴とする、請求項１または２に記載の装置。
【請求項４】
前記点火手段（１４）が、前記開口部（６）に対向する前記エンクロージャ（４）の端部（７）の側に配置されることを特徴とする、請求項１〜３のいずれか１項に記載の装置。
【請求項５】
遠隔制御手段、たとえば、ガス供給手段（３６、２７、６４）と前記点火手段（１４）とを制御するように構成された無線制御タイプの制御手段を含むことを特徴とする、請求項１〜４のいずれか１項に記載の装置。
【請求項６】
前記エンクロージャ（４）が、前記開口部（６）に対向する端部（７）の位置に、ほぼドーム型の端壁（８）を含むことを特徴とする、請求項１〜５のいずれか１項に記載の装置。
【請求項７】
たとえばヘリコプタによる懸架手段（３）または固定構造への固定手段を含むことを特徴とする、請求項１〜６のいずれか１項に記載の装置。
【請求項８】
前記エンクロージャ（４）が、ガスの噴出速度を増すことが可能な収束ゾーンと末広ゾーンとを上から下に画定するように、断面の減少部分を含むことを特徴とする、請求項１〜７のいずれか１項に記載の装置。
【請求項９】
前記供給手段が、前記開口部（６）に対向して前記エンクロージャの端部（７）の側に配置されかつ前記端部（７）に向かって配向されている、少なくとも1つの噴射ノズル（１５、１６）を含むことを特徴とする、請求項１〜８のいずれか１項に記載の装置。
【請求項１０】
前記ガスの供給手段が、たとえば酸素等の支燃性ガスの保存手段（１９）と、たとえば水素等の可燃性ガスの保存手段（１７、１８）とを含むことを特徴とする、請求項１〜９のいずれか１項に記載の装置。
【請求項１１】
前記ガスの供給手段が、第１の可燃性ガス供給回路（２１）と、前記第１の可燃性ガス供給回路とは異なっていて、異なる仕方で前記エンクロージャに通じる第２の支燃性ガス供給回路（２９）とを含み、２つのガスの混合が、封入エンクロージャ（４）により画定される容積内で実施されて、爆発ガス混合物を形成することを特徴とする、請求項１０に記載の装置。
【請求項１２】
前記可燃性ガスの保存手段（１７、１８）と、支燃性ガスの保存手段（１９）とが、上流から下流に向かって少なくとも１つの減圧弁（２３、２４、３１、３２）、少なくとも１つの電磁弁（２６、２７、３４）、および少なくとも１つの戻り防止弁（２８、３５）をそれぞれ含む第１および第２の供給管（２１）を介して、第１および第２の噴射ノズル（１５、１６）にそれぞれ接続されることを特徴とする、請求項１１に記載の装置。
【請求項１３】
少なくとも１つの供給管（２１、２９）が、２個の減圧弁（２３、２４、３１、３２）を含むことを特徴とする、請求項１２に記載の装置。
【請求項１４】
少なくとも１つの供給管、好適には、水素等の可燃性ガスのための前記第１の供給管（２１）が、２個の電磁弁（２６、２７）を含むことを特徴とする、請求項１２または１３に記載の装置。
【請求項１５】
少なくとも１つの供給管（２１、２９）が、減圧弁（２３、２４、３１、３２）と、対応する電磁弁（２６、２７、３４）との間に配置された少なくとも１つの較正穴（２５、３３）を含むことを特徴とする、請求項１２〜１４のいずれか一項に記載の装置。
【請求項１６】
少なくとも１つのガスの保存手段（１７、１８、１９）の圧力を検知するように構成された圧力センサ（２２、３０）を含むことを特徴とする、請求項１〜１５のいずれか１項に記載の装置。
【請求項１７】
前記供給手段が、支燃性ガスで前記エンクロージャを満たすように、エンクロージャ（４）への単一の支燃性ガス供給を制御可能に構成されていることを特徴とする、請求項１１〜１６のいずれか１項に記載の装置。
【請求項１８】
前記ガスの保存手段が、前記エンクロージャ（４）の周辺に規則正しく配分されるように取り付けられた複数のボンベ（１７、１８、１９）を含むことを特徴とする、請求項１０〜１７のいずれか１項に記載の装置。
【請求項１９】
装置と地面との間の距離を決定するように構成された測定手段を含むことを特徴とする、請求項１〜１８のいずれか１項に記載の装置。
【請求項２０】
少なくとも１つの可動フラップ（４４、４５）を含み、このフラップが、前記エンクロージャ（４）の前記開口部（６）が前記フラップ（４４、４５）により少なくとも部分的に塞がれる第１の位置と、前記フラップ（４４、４５）が前記エンクロージャ（４）の前記開口部（６）から離隔される第２の位置との間で移動することを特徴とする、請求項１〜１９のいずれか１項に記載の装置。
【発明の詳細な説明】
【技術分野】
【０００１】
本発明は、なだれ開始装置、特に雪山の雪崩開始装置に関する。
【背景技術】
【０００２】
このような装置は、とりわけ大雪が降った後で、予防的に雪崩を開始することによって、輸送施設、スキー場、または居住ゾーンの用地を保護するために特に使用される。
【０００３】
雪崩を意図的に開始する技術は幾つか存在する。
【０００４】
第１の技術は、雪崩を発生することが望まれる傾斜地に作業員が爆薬を設置することからなる。傾斜地への爆薬の設置は、地上またはヘリコプタから爆薬を投下する方法と、爆薬をすべらせる方法との２つの方法に従って実施されうるであろう。雪崩開始に関しては、一般に、導火線を用いるか、または電気的に行われる。
【０００５】
この第１の技術は、作業員にとって幾つかのリスクがある。なぜなら、作業員の介入は必然的に雪層の著しく不安定な時期に危険なゾーンで行われるからである。その場合、作業員は、準備中および発破中だけでなく、発破地点すなわち発破を準備して爆薬に火をつける場所に行って戻るための移動時にも、同様に雪崩の危険性にさらされる。これらのリスクは、雪崩開始作業時の主な事故原因になっている。ヘリコプタを使用する場合は、それに加えて、航空機での爆薬の輸送と開始に付き物のリスクがあり、ましてや上空の気象条件には恵まれないことが多い。
【０００６】
作業員が発破ゾーンに移動しなくても済むように、さまざまな遠隔雪崩開始技術が導入されている。その目的は、発破地点すなわち爆発時の爆薬の設置地点から発破部署を離隔することにある。
【０００７】
遠隔雪崩開始装置は、カテックス（ＣＡＴＥＸ）という名称で知られている。これは、搬送ケーブルを固定施設に取り付け、この搬送ケーブルが接近可能な予め決められた発破ゾーンに、爆薬を運べるようにするものである。
【０００８】
このような解決方法は、作業員に対するリスクを制限することができるが、ケーブルが届くゾーンでしか雪崩を開始することができない。しかも、このような技術的解決方法は爆薬の輸送と保管とを含むので、厳しい安全基準を満たすことが必要である。さらに、長距離搬送ケーブルの設置は、依然として非常にコストがかかる。
【０００９】
別の装置は、ガゼックス（ＧＡＺＥＸ）という名称で知られている。この装置は、仏国特許第２６３６７２９号に記載されている。この装置は、雪層に向かって開いた正面開口部を有する閉底式の発射砲を含む。装置は、さらに、支燃性ガスの供給回路と、燃料ガスの供給回路とを含み、２つのガスは２つの異なるソースから送られる。発射砲のさまざまなゾーンには、これらのガスによって発射砲を充填するノズルが配置され、点火装置が発射砲の後部に取り付けられている。たとえばプロパンと酸素とからなる爆発ガス混合物が発射砲内で形成され、爆発は、点火装置によって引き起こされる。より詳しくは、発射砲がほぼ首部の形状を有し、爆発ガス混合物が、空気の密度よりも大きい密度を有するので、そのため、部分的に発射砲の低部に蓄積されるが、開いた正面開口部から漏れることはない。
【００１０】
この装置は、有効性を証明しているものの、リスクゾーンに固定式に取り付けなければならない。その結果、搬送が容易ではないので、各発破ゾーンに１個の装置を取り付けることが必要である。
【００１１】
米国特許第４８７３９２８号は、風船に含まれる爆発ガスを爆発させることにより衝撃波を発生する装置を記載している。この装置は、膨らませることができる風船と、酸素および水素の爆発性混合物による風船の充填装置と、爆発を開始するための点火装置とを含んでいる。
【００１２】
欧州特許第１０３１００８号は、膨らませるときに風船が上に向くように、単に、口を下向きにして支持体に風船を固定する同様の装置を記載している。
【００１３】
風船の爆発で発生する衝撃波の大部分は失われて雪層に伝達されないが、これは爆発の配向によるものである。
【００１４】
そのため、このような装置では最適な結果は得られない。実際、風船は上向きに支持体に固定されているので、爆発は、大部分が上向きかつ横方向に配向され、支持体は、風船と雪層との間で衝撃波の移動を妨げることになる。上記と同様に、このような遠隔開始装置は持ち運びができない。
【００１５】
他の遠隔開始技術は、軍事的な武器を使用している。そのため、特にスイスでは、ロケット発射装置あるいは爆弾投下装置が用いられ、あるいは米国では無反動砲（ｃａｎｏｎ  ａｎｔｉ−ｒｅｃｕｌ）または砲弾発射装置ＬｏＣＡＴが用いられる。
【００１６】
しかしながら、幾つかの法律、特にフランス法では、雷管を取り付けた爆薬の保管を禁止しており、このような装置は使用できない。
【００１７】
これらの欠点を解消するために、ＰＣＴ国際公開第２００７／０９６５２４号は、主に雪層に向かって爆発が行われ、搬送も爆薬保管も不要で、さまざまな国内法に使用が適している持ち運び可能な雪崩開始装置を提案している。
【００１８】
この装置は、特に、ヘリコプタにより鋼線ロープを用いて装置を輸送するための連結手段を備えたフレームを含み、このフレームは、上部に、爆発混合物を形成するための少なくとも１つの備蓄ガスの保管ゾーンを含み、下部に、膨らまし口が上部に向いた複数のゴム風船の支持装置を含み、各風船の本体が、反対方向に延びていて、風船が互いにずらして配置されている。この装置は、さらに、風船を膨らませる口の正面に爆発混合物を供給する手段と、噴射ノズルと、爆発混合物の点火手段とを含んでおり、噴射ノズルと点火手段とを各風船の膨らまし口の正面に連続して導く手段が設けられている。
【００１９】
こうした装置は、雪層の上でさまざまな発破ゾーンに搬送可能であり、装置の下部に配置された風船の爆発により雪崩を発生させる。そのため、爆発は、大部分が雪層に向かって行われる。
【００２０】
さらに、この装置は、爆薬輸送を必要とせず、爆発混合物は現地で発破前に形成されるので、実際に安全距離を遵守することができる。
【００２１】
また、この装置は複数の風船を備えているので、一連の爆発を行うことができ、それによって、効果のなかった第１の発破を繰り返すことによって雪崩の開始を保証し、あるいは、装置に爆薬を装填する必要なしに異なるゾーンで複数の雪崩を開始することができる。
【００２２】
しかしながら、このような装置は以下の欠点を有する。
【００２３】
爆発が行われるまで混合物を収容可能にする外装が、膨張の問題あるいは時期尚早の爆発の問題を提起することがある。
【００２４】
加えて、このような装置は、複数の風船を使用するにもかかわらず、システムを頻繁に再充填することが必要である。
【００２５】
しかも、装置の動作に必要な機械システムは潜在的に脆弱であり、あるいは、使用状況（寒気、霜など）において問題を起こす原因となる。
【先行技術文献】
【特許文献】
【００２６】
【特許文献１】仏国特許第２６３６７２９号
【特許文献２】米国特許第４８７３９２８号
【特許文献３】欧州特許第１０３１００８号
【特許文献４】ＰＣＴ国際公開第２００７／０９６５２４号
【発明の概要】
【００２７】
本発明は、信頼性がいっそう高く、大きな自律性を持った雪崩開始装置を提案することにより、上記の欠点を解消することをめざしている。
【００２８】
このため、雪崩開始装置は、爆発ガス混合物が封入される少なくとも１つのエンクロージャを含み、エンクロージャが、下向き開口部を有しており、また、このエンクロージャにより画定される容積を、空気の密度より小さい密度を有する爆発ガス混合物で少なくとも部分的に充填するように構成されたガス供給手段を備え、前記装置が、さらに、この混合物の点火手段を含み、エンクロージャが、ほぼ垂直軸を有する鐘型または円錐台形であることを特徴とする。
【００２９】
このようにして、動作時にエンクロージャが徐々に爆発ガス混合物で満たされ、この混合物は、密度が空気の密度よりも小さいのでエンクロージャの上部に蓄積される傾向を有する。その後、点火手段を用いて爆発が行われ、爆発によるガスの膨張によって、衝撃波が発生し、衝撃波は主に雪層に向かって下向きに導かれる。
【００３０】
このような装置は、複雑な機械システムも、爆発ガス混合物で膨らませる風船も、装置の動作に不要であることから、信頼性が増す。
【００３１】
エンクロージャの形状とガスの密度とによって、一定期間の間、比較的高い比率でエンクロージャにガスを封入できる。この比率は、雪層に大きな影響を及ぼしながら適正な条件で爆発を実施するのに十分なものである。
【００３２】
本発明の特徴によれば、エンクロージャの容積は０．５〜１０ｍ３であり、好適には約１ｍ３である。
【００３３】
有利には、点火手段が、少なくとも１つの点火プラグ、好適には高電圧回路により供給される２個の点火プラグを含む。
【００３４】
本発明の１つの可能性によれば、点火手段は、開口部に対向するエンクロージャの端部の側に配置される。
【００３５】
好適には、装置が、遠隔制御手段、たとえば、ガス供給手段と点火手段とを制御するように構成された無線制御タイプの制御手段を含む。
【００３６】
有利には、エンクロージャが、開口部に対向する端部の位置に、ほぼドーム型の端壁を含む。
【００３７】
ドーム型の形状によって、爆発時のエンクロージャの強度が増す。
【００３８】
本発明の１つの特徴によれば、装置は、たとえばヘリコプタによる懸架手段、または固定構造への固定手段を含む。
【００３９】
実施形態によれば、エンクロージャは、ガスの噴出速度を増すことが可能な収束ゾーンと末広ゾーンとを上から下に画定するように、断面の減少部分を含む。
【００４０】
ガスの噴出速度を上げることによって、雪層に及ぼされる爆発の影響を増すことができる。
【００４１】
本発明の別の可能性によれば、供給手段が、開口部に対向してエンクロージャの端部側に配置されて、この端部に向かって配向されている少なくとも1つの噴射ノズルを含む。
【００４２】
好適には、ガスの供給手段が、たとえば酸素等の支燃性ガスの保存手段と、たとえば水素等の可燃性ガスの保存手段とを含む。
【００４３】
このようにして、本発明による装置は、２つのガスを搬送可能にし、それらが混合されていないときには爆発性を持たないので、輸送に関するリスクが低減される。
【００４４】
本発明の１つの特徴によれば、ガスの供給手段が、第１の可燃性ガス供給回路と、第１の可燃性ガス供給回路とは異なっていて、異なる仕方でエンクロージャに通じる第２の支燃性ガス供給回路とを含み、２つのガスの混合が、封入エンクロージャにより画定される容積内で実施されて、爆発ガス混合物を形成する。
【００４５】
２つのガスを別々の供給することにより供給回路を簡素化することができ、エンクロージャへの導入前に異なる混合室を設けることが回避される。上記の特徴によれば、ガスの混合は、このようにしてエンクロージャの容積内で直接行われる。さらに、このような供給回路の独立性により、特に、実施される発破の特徴に応じて、好適には理論混合気に近い所望のガス混合物を発生することができる。
【００４６】
有利には、可燃性ガスの保存手段と、支燃性ガスの保存手段とが、上流から下流に向かって少なくとも１つの減圧弁、少なくとも１つの電磁弁、および少なくとも１つの戻り防止弁をそれぞれ含む第１および第２の供給管を介して、第１および第２の噴射ノズルにそれぞれ接続される。
【００４７】
従って、各供給管は、電磁弁から形成される異なる制御手段を備えている。減圧弁は、爆発ガス混合物によるエンクロージャの所望の充填速度に応じた所定の圧力に調節可能にされる。高圧ガスの供給によって、爆発前の装置の充填時間を短縮できる。戻り防止弁は、対応する管路内に、場合によっては火炎が戻ることを回避可能にする。
【００４８】
本発明の１つの可能性によれば、少なくとも１つの供給管が２個の減圧弁を含む。
【００４９】
２個の減圧弁の使用により、エンクロージャの容積への対応するガスの噴射圧をより適切に制御することができる。
【００５０】
有利には、少なくとも１つの供給管、好適には、水素等の可燃性ガスのための第１の供給管が２個の電磁弁を含む。
【００５１】
２個の電磁弁の存在により装置の安全性を高めることができる。
【００５２】
本発明の特徴によれば、少なくとも１つの供給管が、減圧弁と、対応する電磁弁との間に配置された少なくとも１つの較正穴を含む。
【００５３】
有利には、少なくとも１つのガスの保存手段の圧力を検知するように構成された圧力センサを含む。
【００５４】
本発明の１つの可能性によれば、供給手段は、支燃性ガスでエンクロージャを満たすように（ｓａｔｕｒｅｒ）、エンクロージャへの単一の支燃性ガス供給を制御可能に構成されている。
【００５５】
このようにして、たとえば酸素等の支燃性ガスで満たされた非爆発性のガス混合物をエンクロージャに充填可能であり、それによって、エンクロージャの充填時に装置を安全化または無効にして、爆発前に手順が遮断されるようにしている。
【００５６】
好適には、ガスの保存手段が、エンクロージャの周辺に規則正しく配分されるように取り付けられた複数のボンベを含む。
【００５７】
有利には、装置は、この装置と地面との間の距離を決定するように構成された測定手段を含む。
【００５８】
このようにして、作業員は、発破の効率を上げるように、装置を地面から一定の適切な距離のところに位置決めすることができる。
【００５９】
好適な距離は、約１〜８メートルである。地面とエンクロージャとの距離の測定装置に合わせて爆発点火制御手段を制御し、エンクロージャが地面から所定の間隔をおいた一定の距離にあるときのみ点火を行えるようにすることができる。
【００６０】
変形実施形態によれば、装置は、エンクロージャの開口部がフラップにより少なくとも部分的に塞がれる第１の位置と、フラップがエンクロージャの開口部から離隔される第２の位置との間で移動する少なくとも１つの可動フラップを含む。
【００６１】
フラップは、エンクロージャの外への爆発ガス混合物の排気を制御可能である。エンクロージャの形状から、エンクロージャだけでもこのような封入機能を果たすことができるので、こうした可動フラップの存在は当然のことながら任意である。
【００６２】
いずれにしても、本発明は、雪崩開始装置の複数の実施形態を限定的ではなく例として示す添付図面を参照しながら、以下の説明を読めば、いっそう理解されるであろう。
【図面の簡単な説明】
【００６３】
【図１】本発明による装置を備えたヘリコプタを示す図である。
【図２】この装置の第１の実施形態を示す正面斜視図である。
【図３】この装置のエンクロージャの拡大縦断面図である。
【図４】装置の背面斜視図である。
【図５】この装置の供給手段を示す概略図である。
【図６】エンクロージャの第２の実施形態を示す、図３に対応する図である。
【図７】エンクロージャの第３の実施形態を示す、図３に対応する図である。
【図８】図６に示されたようなエンクロージャを有する装置の全体概略図である。
【発明を実施するための形態】
【００６４】
図１は、吊り索３を介して本発明による雪崩開始装置２に接続されるヘリコプタ１を示している。
【００６５】
図２から図４は、この装置の第１の実施形態を示している。
【００６６】
この実施形態では、装置２が、爆発ガス混合物を封入したほぼ円錐台形の鋼製エンクロージャ４を含み、開口部６を有して下向きすなわち雪層に向かっている第１の端部５と、第１の端部とは反対で、膨らんだ、あるいはほぼドーム型の形状の端壁８を含む第２の端部７を有している。
【００６７】
壁８は、吊り索３に接続される連結手段９を装備され、エンクロージャ４の円錐台形の壁１１に、着脱式または非着脱式に固定される。
【００６８】
図３によりよく示されているように、エンクロージャ４は、また、その断面の減少部分を含んで、上から下に、収束ゾーン１２と末広ゾーン１３とを画定し、ガスの排出速度を高めることができる。
【００６９】
エンクロージャ４の内部容積は、０．５〜１０ｍ３であり、好適には約１ｍ３である。
【００７０】
エンクロージャ４は、さらに、エンクロージャ４の閉鎖端部７の側に配置されて上向きすなわち端壁８に向かって配向された、２個の供給ノズル１５、１６を装備されている。供給ノズル１５、１６は、エンクロージャ４の長手方向中央面Ｐに対して対称に配置されている。
【００７１】
エンクロージャ４は、さらに、端壁８の位置でエンクロージャの長手方向中央面Ｐに対して対称に配置された２個の点火プラグ１４を備え、これらの点火プラグは、エンクロージャの内部に火花を供給することができる。点火プラグ１４は、それぞれ、高電圧回路（図示せず）によって供給される。
【００７２】
図２から分かるように、装置は、それぞれ容量５０Ｌ、圧力２００バールの３個のボンベ１７、１８、１９を含む。ボンベは、エンクロージャ４の外壁に規則正しく配分されて、適切な支持体を介して固定されている。さらに、各ボンベ１７、１８、１９は、上記の固定要素の破損および／または作業員による固定ミスの場合にボンベを保持するための保持ケーブルにより、その上部ゾーンでエンクロージャ４に接続されている。これらのケーブルは、事故の場合にボトルの外れを保持できるように長めに寸法決定されている。
【００７３】
第１および第２のボトルは水素を含み、第３のボトルは酸素を含む。カバー２０が、ボトルの間に配置されるエンクロージャのゾーンを被覆し、エンクロージャに固定される。カバー２０は、電気または空気圧式の諸設備を保護し、アセンブリの空気力学特性を促すことをめざしている。
【００７４】
さらに、エンクロージャ４の開口端部５に保護スカート５４が配置されている。保護スカート５４は円錐台形であり、下に向かって広がっている。このスカート５４は、エンクロージャに含まれるガスがヘリコプタ１により形成される風によって外部に吸入されないようにすることができる。スカートの下向きの自由端は、保護アーチ５５を備えている。
【００７５】
装置は、さらに、装置と地面との間の距離を決定するように構成された測定手段を備える。測定手段は、エンクロージャ４の外壁に配置されたレーザ距離計５６（図４参照）を含み、この距離計は、スカート５４に設けられた開口部５７に向かい合っている。図を簡素化するために図４ではカバー２０を省いていることに留意されたい。
【００７６】
図５に示されているように、第１の噴射ノズル１５は、第１の供給管２１を介して水素ボンベ１７、１８に接続されており、この供給管は、上流から下流すなわちボンベ１７、１８から第１の噴射ノズル１５に向かって、圧力センサ２２、第１の減圧弁２３、第２の減圧弁２４、較正穴２５、第１の電磁弁２６、第２の電磁弁２７、および戻り防止弁２８を含んでいる。
【００７７】
ボンベ１７、１８は並列接続されており、たわみ防止ケーブルを備えた可撓性の高圧伸縮管継手（ｌｙｒｅ）を介して対応する管２１に接続されている。
【００７８】
第２の噴射ノズル１６は、供給管２９を介して酸素ボンベ１９に接続されており、供給管は上流から下流すなわち、このボンベから第２の噴射ノズルに向かって、圧力センサ３０、第１の減圧弁３１、第２の減圧弁３２、較正穴３３、電磁弁３４、および戻り防止弁３５を含む。
【００７９】
各管２１、２９に対して、電磁弁２６、２７、３４は、休止状態では閉じていて、できるだけ減圧弁２４、３２の近くに配置されている。
【００８０】
２個の減圧弁の使用し、また、較正穴を通過させることによって、供給流量を制御するとともに、エンクロージャ４内の水素と酸素の投入比率を確保することができ、これらのガスの混合比は、対応する１つまたは複数のボンベの圧力とは無関係に、理論混合比に近くなる。減圧弁２３、２４、３１、３２は、予め調節されている。特に、減圧弁は、できるだけ短い充填時間、好適には約７秒間でエンクロージャ４を充填するのに十分な圧力に調節されている。
【００８１】
戻り防止弁２８、３５は、ステンレス製のディスク型の弁であり、場合によっては、管２１、２９に火炎が戻らないようにすることができる。戻り防止弁２８、３５は、エンクロージャ４に配置されるノズル１５、１６のできるだけ近くに配置される。
【００８２】
管路２１、２９の全体が、耐火性の材料で製造されている。
【００８３】
点火プラグ１４と電磁弁２６、２７、３４との制御は、離れたところにいる作業員により無線制御方式で自動的に実施される。特に、作業員は、リモコンまたは無線制御卓５８を使用し、これらは、エンクロージャ４に取り付けられたケース５９に収容される受信手段と協働する。付加的な制御手段６０が、エンクロージャ４に直接取り付けられる。
【００８４】
圧力センサ２２、３０は、酸素リザーバおよび水素リザーバの状態を検知することができ、制御手段は、この情報を、作業員が目視可能な信号に変換することができる。
【００８５】
次に、装置の動作について詳しく説明する。
【００８６】
発破シーケンスの際、ヘリコプタは、まず、測定手段を用いて地面から予め決められた距離のところで所望のゾーンに雪崩開始装置２を配置する。
【００８７】
作業員は、不都合な開始のリスクを回避するように２個のボタンを備えたリモコンを有し、２個のボタンを同時に連続して押す。
【００８８】
その場合、制御手段は、電磁弁２６、２７、３４を開いてエンクロージャ４を充填し、従って、ガスを混合する。爆発ガス混合物の密度は空気の密度より小さいので、空気はエンクロージャの閉鎖端部７に向かって上昇する傾向がある。充填時に送られる爆発ガス混合物の容量は、エンクロージャの容量よりも小さい。これにより、エンクロージャ４の充填時に爆発ガス混合物があふれるのを制限することができる。
【００８９】
充填ステップの後、点火プラグ１４によりガスが自動的に点火され、作業員が介在しなくても制御手段により制御される。そのため、これは、半自動の発破手順である。
【００９０】
制御手段も同様に、たとえば無線波の瞬間的な損失による信号の瞬時遮断を、発破手順に影響を及ぼさずに受信するように構成される。
【００９１】
発破前に少なくとも１つのボタンを離すと、場合によって問題があるときは反射的な停止が優先され、制御手段は、現行の発破手順を自動的に中断し、作業員が目視可能な警報メッセージを送り続ける。この場合、その後３０秒以内に作業員が２個のボタンを連続かつ同時に押すと、遮断された発破手順が自動的に完了に向かい、すなわち制御手段が相補的な充填を行ってから点火を実施する。
【００９２】
さらに、制御手段は付加的な安全化制御手段を有し、作業員がエンクロージャに含まれる爆発ガス混合物の排出を望む場合、約３０秒にわたってエンクロージャに酸素のみを充填してエンクロージャ４を酸素で満たし、次いで点火プラグ１４の自動点火によりエンクロージャに含まれる可燃性ガス残留物を燃焼する。
【００９３】
酸素ボンベ１９に結合される圧力センサ３０が、上記の安全化手順を実施可能にするには酸素備蓄が少なすぎることを検知した場合、制御手段は、あらゆる新たな発破を阻止する。
【００９４】
さらに、発破手順が完全に行われない場合、制御手段は、警報装置により上記タイプのエンクロージャの安全化を促す。
【００９５】
図６から図８に他の実施形態を示す。同じ機能を果たす要素については、上記の参照符号を再び用いる。
【００９６】
図６に示した実施形態では、エンクロージャ４が、約１ｍ３の内部容積を画定する、ほぼ鐘型の形状である。より詳しくは、エンクロージャが、円錐台形の壁１１と端壁８とを含む。供給は、酸素および水素の供給管２１、２９が接続される２個の分枝３７、３８を有する継手３６を介して、エンクロージャの単一地点で実施される。
【００９７】
図７に示された別の実施形態によれば、エンクロージャ４の上に筒状要素３９が配置され、筒状要素は、一端４１を有する端壁４０を有し、他端４２によりエンクロージャに通じている。２個の分枝を有する継手３６が、筒状要素３９に接続され、この要素が点火プラグ１４を備えている（この図では示さず）。
【００９８】
筒状要素３９は、エンクロージャ４の上流に配置されたチャンバ４３を形成することができ、このチャンバ内にガスの噴射部と点火部とが設けられる。このようなチャンバ４３によって、充填により発生した乱流の程度を制限し、縮小した容積に噴射を行うことによって、あふれの可能性を制限することができる。さらに、これによって、空気よりも軽い爆発ガス混合物を点火プラグ１４の近くにいっそう適切に収容することができ、エンクロージャ４の開口部６からこのチャンバが離れているので、外部の乱流をそれほど感知しなくなる。
【００９９】
本発明の別の実施形態によれば、エンクロージャは、充填段階のときにエンクロージャ４の開口部６を少なくとも部分的に塞ぐための可動フラップ４４、４５を備える。図８では、図６に示したタイプのエンクロージャ４と組み合わせて、この変形実施形態を示しているが、しかし、この変形実施形態は、あらゆるタイプのエンクロージャに適用可能である。
【０１００】
図８に示したように、エンクロージャ４は、このエンクロージャの長手方向中央面に対して対称に配置された第１および第２のフラップ４４、４５を備え、フラップはアーム４６に連結される。各フラップ４４、４５の動きは、たとえばアルゴン等の中性ガスを供給される単動タイプの回転アクチュエータ４７により作動される。特に、容量２０リットル、２００バールの中性ガスのボンベ４８が、マノメータ５０を装備された供給管４９に接続されており、分配器５３を介して回転アクチュエータ４７の各々にそれぞれ接続される第１および第２の供給管５１、５２がマノメータの下流に延びている。
【０１０１】
分配器５３、従ってフラップ４４、４５は、半自動シーケンス中に、あるいは、作業員が別に行うやり方で、上記の制御手段により作動される。
【０１０２】
フラップ４４、４５は、このようにして、外部への爆発ガス混合物の漏洩を制限するようにエンクロージャ４の開口部６を部分的に塞ぐ第１の位置と、爆発時に排出されるガスを妨害しないように開口部６から離れる第２の位置との間で移動する。
【０１０３】
言うまでもなく、本発明は、例として記載されたこのシステムの上記実施形態だけに制限されるものではなく、その反対にあらゆる変形実施形態を含む。そのため、特に、エンクロージャは、ヘリコプタに懸架するのではなく、クレーンを装備した車両あるいは固定構造に固定された車両に懸架してもよい。
【図１】
2011506898.tif 000003
【図２】
2011506898.tif 000004
【図３】
2011506898.tif 000005
【図４】
2011506898.tif 000006
【図５】
2011506898.tif 000007
【図６】
2011506898.tif 000008
【図７】
2011506898.tif 000009
【図８】
2011506898.tif 000010
【国際調査報告】
2011506898.tif 000011
2011506898.tif 000012
2011506898.tif 000013
2011506898.tif 000014
2011506898.tif 000015
2011506898.tif 000016